(57)【要約】【課題】大型の表示装置に接続される主要電源回路の配線の複雑さを緩和する。【構成】表示装置(112)は、内部に、蛍光体層(4R,4G,4B)が形成されて放電ガスが封入され、長手方向に複数の発光点を有する複数のガス放電管(11)と、ガス放電管の表示面側に配置された複数対の表示電極(2)と、ガス放電管の背面側に配置された複数の信号電極(3)とを具える。複数の走査回路は、第１共通導体(63)と第２共通導体(66)に結合される。第１共通導体は、走査パルス用の第１直流電圧(-Vy)を供給する第１電源に結合される。第２共通導体は、走査パルス用の第２直流電圧(Vsc,-Vy+Vsc)を供給する第２電源(615)の一方の端子に結合され、第２電源の他方の端子は第１共通導体に結合される。複数の走査回路は、アドレス期間に一方の表示電極(2,Y1-Yn)に、第１電源の直流電圧が供給される第１共通導体かまたは第２電源の一方の端子が結合される第２共通導体のいずれか一方を結合する。【選択図】図８
2008039851.tif 000002
【特許請求の範囲】
【請求項１】
内部に、蛍光体層が形成されると共に放電ガスが封入され、長手方向に複数の発光点をそれぞれ有する複数のガス放電管が並置され、前記複数のガス放電管の表示面側に複数対の表示電極が配置され、前記複数のガス放電管の背面側に複数の信号電極が配置された表示装置であって、
前記複数対の表示電極の各表示電極対のうちの走査電圧および維持電圧が印加される一方の表示電極は複数のグループの電極に分けられ、各グループの電極は、それぞれ走査回路を実装した複数のプリント回路基板のうちの対応するプリント回路基板にフレキシブル・ケーブルを介して接続され、
前記複数の走査回路は、細長い第１の共通導体と細長い第２の共通導体とに結合され、
前記第１の共通導体は、リセット電圧および維持電圧を供給するリセットおよび維持電圧印加回路と、走査パルス用の第１の直流電圧を供給する第１の電源に結合され、
前記第２の共通導体は、走査パルス用の第２の直流電圧を供給する第２の電源の一方の端子に結合され、
前記第２の電源の他方の端子は前記第１の共通導体に結合され、
前記複数の走査回路は、アドレス期間において前記一方の表示電極に、前記第１の電源の直流電圧が供給される前記第１の共通導体または前記第２の電源の前記一方の端子が結合される前記第２の共通導体のいずれか一方を結合するものであることを特徴とする、表示装置。
【請求項２】
内部に、蛍光体層が形成されると共に放電ガスが封入され、長手方向に複数の発光点をそれぞれ有する複数のガス放電管が並置され、前記複数のガス放電管の表示面側に複数対の表示電極が配置され、前記複数のガス放電管の背面側に複数の信号電極が配置された表示装置であって、
前記複数対の表示電極の各表示電極対のうちの走査電圧および維持電圧が印加される一方の表示電極は複数のグループの電極に分けられ、各グループの電極は、それぞれ走査回路を実装した複数のプリント回路基板のうちの対応するプリント回路基板にフレキシブル・ケーブルを介して接続され、
前記複数の走査回路は、細長い第１の共通導体と細長い第２の共通導体とに結合され、
前記第１の共通導体は、リセット電圧および維持電圧を供給するリセットおよび維持電圧印加回路と、走査パルス用の第１の直流電圧を供給する第１の電源に結合され、
前記第２の共通導体は、走査パルス用の第２の直流電圧を供給する第２の電源の一方の端子に結合され、
前記第２の電源の他方の端子は接地電位に結合され、
前記複数の走査回路は、アドレス期間において前記一方の表示電極に、前記第１の電源の直流電圧が供給される前記第１の共通導体または前記第２の電源の前記一方の端子が結合される前記第２の共通導体のいずれか一方を結合するものであることを特徴とする、表示装置。
【請求項３】
前記第２の共通導体に結合される前記第２の電源と直列にスイッチング素子が結合されていることを特徴とする、請求項１または２に記載の表示装置。
【請求項４】
前記第１の共通導体、前記第２の共通導体および前記第２の電源が、同じプリント基板上に設けられていることを特徴とする、請求項１または２に記載の表示装置。
【請求項５】
前記第２の電源が、前記複数のガス放電管および前記複数の信号電極の背部に配置されていることを特徴とする、請求項１または２に記載の表示装置。
【請求項６】
リセット期間およびサステイン期間において、前記第１の共通導体と前記一方の表示電極の間に結合された前記複数の走査回路中のスイッチング素子がオン状態に維持され、それによって前記第１の共通導体に印加された前記リセット電圧または前記維持電圧が前記一方の表示電極に印加されることを特徴とする、請求項１または２に記載の表示装置。
【発明の詳細な説明】
【技術分野】
【０００１】
本発明は、大型の表示装置に関し、特に、内部に蛍光体層を有するプラズマ・チューブ・アレイからなる表示装置の表示電極とドライバ回路の間の電気的接続および配置に関する。
【背景技術】
【０００２】
プラズマ・ディスプレイ・パネル（ＰＤＰ）は、縦横の多数の小セルの閉じた放電空間内でプラズマ放電を生じさせ、放電プラズマから放出される１４７ｎｍの紫外光で蛍光体を励起して発光させる。そのセル空間は、重ね合わせた２枚の平板のガラスの間に形成される。一方、プラズマ・チューブ・アレイ（ＰＴＢ）では、細長いガラス・チューブ内に蛍光体層を形成しまたは蛍光体層を形成した支持部材を挿入して、そのチューブ内に多数のセル空間を形成する。そのようなプラズマ・チューブを多数並置することによって、例えば６ｍ×３ｍの大型の表示画面を形成することができる。通常のプラズマ・チューブ・アレイでは、ドライバ回路用のプリント回路基板（ＰＣＢ）から、例えば１．５ｍ以上の三角形または台形状の長いフレキシブル・ケーブルを介して表示ボードまたは前面側支持基板に形成された表示電極に表示電圧を印加する。
【０００３】
特開昭６０−２０４３７０号公報（特許文献１）には配線パターンが記載されている。その配線パターンでは、複数本の配線からなるパターンにおいて、配線距離の短い配線を迂回させている。それによって配線抵抗が均一になる。
【特許文献１】特開昭６０−２０４３７０号公報
【発明の開示】
【発明が解決しようとする課題】
【０００４】
ドライバ回路を実装したプリント回路基板からの駆動電圧をプラズマ・チューブ・アレイ（ＰＴＢ）の表示電極に通常の長いフレキシブル・ケーブルを介して印加すると、その長いフレキシブル・ケーブルは電気的に大きなインピーダンスまたはインダクタンスを有するので、駆動電圧の波形が歪み、従ってプラズマ・チューブ・アレイに所望の波形を印加するのが困難である。
【０００５】
発明者たちは、大型のプラズマ・チューブ・アレイ型の表示装置を、プリント回路基板とプラズマ・チューブ・アレイの表示電極の間に接続されるフレキシブル・ケーブルの長さが短くなるよう構成すれば、プリント回路基板と表示電極の間のインピーダンスまたはインダクタンスが小さくなり、印加した駆動電圧の波形の歪みを減少させることができる、と認識した。発明者たちは、さらに、アドレス期間において表示電極に走査電圧パルスを印加するスキャン・ドライバ回路に用いられる電源回路からその一部の電源を分離すれば、残りの主要電源回路の配線の混雑度および複雑さが減少する、と認識した。
【０００６】
本発明の目的は、大型の表示装置に接続されるフレキシブル・ケーブルの長さを短くすることである。
【０００７】
本発明の別の目的は、大型の表示装置に接続される主要電源回路の配線の複雑さを緩和することである。
【０００８】
本発明の別の目的は、大型の表示装置への印加電圧の波形の歪みを減少させることである。
【課題を解決するための手段】
【０００９】
本発明の特徴によれば、表示装置は、内部に、蛍光体層が形成されると共に放電ガスが封入され、長手方向に複数の発光点をそれぞれ有する複数のガス放電管が並置され、その複数のガス放電管の表示面側に複数対の表示電極が配置され、その複数のガス放電管の背面側に複数の信号電極が配置されている。その複数対の表示電極の各表示電極対のうちの走査電圧および維持電圧が印加される一方の表示電極は複数のグループの電極に分けられ、各グループの電極は、それぞれ走査回路を実装した複数のプリント回路基板のうちの対応するプリント回路基板にフレキシブル・ケーブルを介して接続されている。その複数の走査回路は、細長い第１の共通導体と細長い第２の共通導体とに結合されている。その第１の共通導体は、リセット電圧および維持電圧を供給するリセットおよび維持電圧印加回路と、走査パルス用の第１の直流電圧を供給する第１の電源に結合される。その第２の共通導体は、走査パルス用の第２の直流電圧を供給する第２の電源の一方の端子に結合される。その第２の電源の他方の端子はその第１の共通導体に結合される。その複数の走査回路は、アドレス期間においてその一方の表示電極に、その第１の電源の直流電圧が供給されるその第１の共通導体またはその第２の電源のその一方の端子が結合されるその第２の共通導体のいずれか一方を結合する。
【００１０】
本発明の別の特徴によれば、その第２の電源の他方の端子は接地電位に結合されてもよい。
【発明の効果】
【００１１】
本発明によれば、大型の表示装置に接続されるフレキシブル・ケーブルの長さを短くすることができ、大型の表示装置に接続される主要電源回路の配線の複雑さを緩和することができ、大型の表示装置への印加電圧の波形の歪みを減少させることができる。
【発明を実施するための最良の形態】
【００１２】
本発明の実施形態を、図面を参照して説明する。図面において、同様の構成要素には同じ参照番号が付されている。
【００１３】
図１は、通常のカラー表示装置１０のプラズマ・チューブまたはガス放電管１１Ｒ、１１Ｇおよび１１Ｂのアレイの概略的な部分的構造を例示している。図１において、表示装置１０は、互いに平行に配置された透明な細長いカラー・プラズマ・チューブ１１Ｒ、１１Ｇおよび１１Ｂのアレイ、透明な前面側の支持シートまたは薄い基板からなる前面側支持基板３１、透明なまたは不透明な背面側の支持シートまたは薄い基板からなる背面側支持基板３２、複数の表示電極対または主電極対２、および複数の信号電極またはアドレス電極３を含んでいる。図１において、Ｘは表示電極２のうちの維持電極またはＸ電極を示し、Ｙは表示電極２のうちの走査電極またはＹ電極を示している。Ｒ，ＧおよびＢは蛍光体の発光色である赤、緑および青を示している。支持基板３１および３２は、例えば可撓性のＰＥＴフィルム、ガラス等で作られている。
【００１４】
細長いプラズマ・チューブ１１Ｒ、１１Ｇおよび１１Ｂの細管２０は、例えばホウケイ酸ガラス、パイレックス（登録商標）、ソーダガラス、石英ガラスまたはゼロデュアのような透明な絶縁体で作製され、典型的には、管径が２ｍｍ以下であり、例えば、管の断面の幅約１ｍｍおよび高さ約０．５５ｍｍであり、長さが３００ｍｍ以上であり、管壁の厚さ約０．１ｍｍの寸法を有する。
【００１５】
プラズマ・チューブ１１Ｒ、１１Ｇおよび１１Ｂの内部の背面側には、赤、緑、青（Ｒ、Ｇ、Ｂ）の蛍光体層４をそれぞれ形成した支持部材がそれぞれ挿入されて配置され、放電ガスが導入されて、両端が封止されている。プラズマ・チューブ１１Ｒ、１１Ｇおよび１１Ｂの内面にはＭｇＯからなる電子放出膜５が形成されている。蛍光体層Ｒ、Ｇ、Ｂは、典型的には、約１０μｍ〜約３０μｍの範囲の厚さを有する。
【００１６】
支持部材は、プラズマ・チューブ１１Ｒ、１１Ｇ、１１Ｂと同様に、例えばホウケイ酸ガラス、パイレックス（登録商標）、石英ガラス、ソーダガラス、鉛ガラスのような絶縁体で作製され、この支持部材上に蛍光体層４が形成されている。支持部材は、ガラス管の外部で、支持部材上に蛍光体ペーストを塗布し、それを焼成して支持部材上に蛍光体層４を形成した後、その支持部材をガラス管内に挿入して配置することができる。蛍光体ペーストは、当該分野で公知の各種の蛍光体ペーストを利用することができる。
【００１７】
電子放出膜５は、イオンとの衝突により電子を発生する。蛍光体層４は、表示電極対２に電圧を印加すると、管内に封入された放電ガスが励起され、その励起希ガス原子の脱励起過程で発生する真空紫外光で可視光を発生する。
【００１８】
図２Ａは、透明な複数の表示電極対２が形成された前面側支持基板３１を示している。図２Ｂは、複数の信号電極３が形成された背面側支持基板３２を示している。
【００１９】
信号電極３は、背面側支持基板３２の前面すなわち内面上に形成され、プラズマ・チューブ１１Ｒ、１１Ｇおよび１１Ｂの長手方向に沿って設けられている。隣接する信号電極３間のピッチは、プラズマ・チューブ１１Ｒ、１１Ｇおよび１１Ｂの各々の幅と同じであり、例えば１ｍｍである。複数の表示電極対２は、周知の形態で前面側支持基板３１の背面すなわち内面上に形成され、信号電極３と直角に交差する方向に配置されている。表示電極２の幅は例えば０．７５ｍｍであり、各１対の表示電極２の端縁間の距離は例えば０．４ｍｍである。表示電極対２と隣の表示電極対２の間には、非放電領域となる距離または非放電ギャップが確保され、その距離は例えば１．１ｍｍである。
【００２０】
信号電極３と表示電極対２は、表示装置１０の組み立て時にプラズマ・チューブ１１Ｒ、１１Ｇおよび１１Ｂの下側の外周面部分と上側の外周面部分にそれぞれ密着するように接触させる。その密着性を良くするために、それぞれの電極とプラズマ・チューブ面との間に接着剤を介在させて接着してもよい。
【００２１】
この表示装置１０を正面から平面的にみた場合、信号電極３と表示電極対２との交差部が単位発光領域となる。表示は、表示電極対２のいずれか１本を走査電極として用い、その走査電極と信号電極３との交差部で選択放電を発生させて発光領域を選択し、その放電により当該領域の管内面に形成された壁電荷を利用して、表示電極対２で表示放電を発生させ、蛍光体層を発光させることによって行う。選択放電は、垂直方向に対向する走査Ｙ電極と信号電極３との間のプラズマ・チューブ１１Ｒ、１１Ｇおよび１１Ｂ内で発生される対向放電である。表示放電は、平面上に平行に配置された１対の表示電極間のプラズマ・チューブ１１Ｒ、１１Ｇおよび１１Ｂ内で発生される面放電である。
【００２２】
表示電極対２と信号電極３は、電圧を印加することによって管内部の放電ガスに放電を発生させることが可能である。図１では、プラズマ・チューブ１１Ｒ、１１Ｇおよび１１Ｂの電極構造は、１つの発光部位に３つの電極が配置された構成であり、表示電極対によって表示放電が発生される構造であるが、これに限定されるものではなく、表示電極２と信号電極３の間で表示放電が発生される構造であってもよい。即ち、表示電極対２を１本とし、この表示電極２を走査電極として用いて信号電極３との間に選択放電と表示放電（対向放電）を発生させる形式の電極構造であってもよい。
【００２３】
図３は、表示装置１０のプラズマ・チューブ・アレイ１１の管の長手方向に垂直な断面の構造を示している。表示装置１０において、プラズマ・チューブ１１Ｒ、１１Ｇおよび１１Ｂは、その中の背面側の支持部材６Ｒ、６Ｇおよび６Ｂの内面に蛍光体層４Ｒ、４Ｇおよび４Ｂが形成されており、断面幅１．０ｍｍ、断面高さ０．５５ｍｍ、管壁の厚さ０．１ｍｍ、および長さ１ｍ〜３ｍの細管からなる。一実施例として、赤の蛍光体４Ｒはイットリア系（（Ｙ．Ｇａ）ＢＯ3：Ｅｕ）の材料を含み、緑の蛍光体４Ｇはジンクシリケート系（Ｚｎ2ＳｉＯ4：Ｍｎ）の材料を含み、青の蛍光体４ＢはＢＡＭ系（ＢａＭｇＡｌ10Ｏ17：Ｅｕ）の材料を含む。
【００２４】
図３において、プラズマ・チューブ１１Ｒ、１１Ｇおよび１１Ｂの底面には、粘着剤層３４を介して背面側支持基板３２が接着されている。プラズマ・チューブ１１Ｒ、１１Ｇおよび１１Ｂの底面に、および背面側支持基板３２の上面に信号電極３Ｒ、３Ｇおよび３Ｂが配置されている。
【００２５】
図４は、通常の表示装置８の電気的接続を示している。表示装置８において、プラズマ・チューブ・アレイ１１のｎ対の表示電極２ （Ｘ１，Ｙ１）、．．．、（Ｘｊ，Ｙｊ）、．．．（Ｘｎ，Ｙｎ）は、フレキシブル・ケーブル５２および６２２を介して、Ｘ電極用のＸドライバ回路６１およびＹ電極用のＹドライバ回路６４をそれぞれ実装したプリント回路基板５０および６０に接続される。プラズマ・チューブ・アレイ１１のｍ本の信号電極３ Ａ１、．．．、Ａｉ、．．．Ａｍには、フレキシブル・ケーブルを介してアドレス・ドライバ回路７０８を実装したプリント回路基板が接続される。
【００２６】
通常の表示装置８において、Ｘドライバ回路６１を実装したプリント回路基板（ＰＣＢ）５０から、例えば１．５ｍ以上の三角形または台形状の長いフレキシブル・ケーブル５２を介して前面側支持基板３１の内面に形成された表示電極Ｘ１〜Ｘｎに駆動電圧すなわち維持電圧を印加する。
【００２７】
表示装置８では、長いフレキシブル・ケーブル５２が電気的に大きなインピーダンスまたはインダクタンスを有するので、表示電極（Ｘ１，Ｙ１）〜（Ｘｎ，Ｙｎ）によってプラズマ・チューブ・アレイ１１に印加した維持電圧の波形が歪む傾向がある。
【００２８】
次に、一般的なプラズマ・チューブ・アレイ型のＡＣ型ガス放電表示装置の駆動法の一例について説明する。１つのピクチャ（映像）は典型的には１フレーム期間で構成されており、インターレース型走査では１フレームが２つのフィールドで構成され、プログレッシブ型走査では１フレームが１つのフィールドで構成されている。また、通常のテレビジョン方式による動画表示のためには１秒間に６０フレームの表示が必要である。そこでこの種ガス放電表示装置１０による表示では、２値の発光制御によって階調を持ったカラー再現を行うために、典型的にはそのような１フィールドＦをｑ個のサブフィールドＳＦの集合に置き換える。しばしば、これらサブフィールドＳＦに順に２0，２1，２2，．．．２q-1等の異なる重みを付けて各サブフィールドＳＦの表示放電の回数を設定する。サブフィールド単位の発光／非発光の組合せでＲ，ＧおよびＢの各色毎にＮ（＝１＋２1＋２2＋．．．＋２q-1 ）段階の輝度設定を行うことができる。このようなフィールド構成に合わせてフィールド転送周期であるフィールド期間Ｔｆをｑ個のサブフィールド期間Ｔｓｆに分割し、各サブフィールドＳＦに１つのサブフィールド期間Ｔｓｆを割り当てる。さらに、サブフィールド期間Ｔｓｆを、初期化のためのリセット期間ＴＲ、アドレッシングのためのアドレス期間ＴＡ、および発光のための表示期間ＴＳに分ける。典型的には、リセット期間ＴＲおよびアドレス期間ＴＡの長さが重みに係わらず一定であるのに対し、表示期間ＴＳにおけるパルス数は重みが大きいほど多く、表示期間ＴＳの長さは重みが大きいほど長い。この場合、サブフィールド期間Ｔｓｆの長さも、該当するサブフィールドＳＦの重みが大きいほど長い。
【００２９】
図５は、通常の表示装置８における、Ｘドライバ回路６１、Ｙドライバ回路６４およびアドレス・ドライバ回路７０８の出力駆動電圧波形の概略的な駆動シーケンスを例示している。なお、図示の波形は一例であり、振幅、極性およびタイミングを様々に変更することができる。
【００３０】
リセット期間ＴＲ、アドレス期間ＴＡおよびサステイン期間ＴＳの順序は、ｑ個のサブフィールドＳＦにおいて同じであり、駆動シーケンスはサブフィールドＳＦ毎に繰り返される。各サブフィールドＳＦのリセット期間ＴＲにおいては、全ての表示電極Ｘに対して負極性のパルスＰｒｘ１と正極性のパルスＰｒｘ２とを順に印加し、全ての表示電極Ｙに対して正極性のパルスＰｒｙ１と負極性のパルスＰｒｙ２とを順に印加する。パルスＰｒｘ１，Ｐｒｙ１およびＰｒｙ２は微小放電が生じる変化率で振幅が漸増するランプ波形または鈍波パルスである。最初に印加されるパルスＰｒｘ１およびＰｒｙ１は、前サブフィールドＳＦにおける発光／非発光に係わらず全ての放電セルにいったん同一極性の適度の壁電荷を生じさせるために印加される。引き続き適度の壁電荷が存在する放電セルにパルスＰｒｘ２およびＰｒｙ２を印加することにより、この壁電荷を維持パルスでは再放電しないレベル（消去状態）まで減少させるように調整する。セルに加わる駆動電圧は、表示電極ＸおよびＹに印加されるパルスの振幅の差を表す合成電圧である。
【００３１】
アドレス期間ＴＡにおいては、発光させる放電セルのみに放電維持に必要な壁電荷を形成する。全ての表示電極Ｘおよび全ての表示電極Ｙを所定電位にバイアスした状態で、行選択期間（１行分のスキャン時間）毎に選択行に対応した表示電極Ｙに負極性のスキャン・パルス−Ｖｙを印加する。この行選択と同時にアドレス放電を生じさせるべき選択セルに対応したアドレス電極Ａのみにアドレス・パルスＶａを印加する。つまり、選択行ｊのｍ列分のサブフィールドデータＤｓｆに基づいてアドレス電極Ａ1〜Ａmの電位を走査ライン毎に２値制御する。これによって、選択セルでは表示電極Ｙとアドレス電極Ａとの間で放電管内にアドレス放電が生じる。そのアドレス放電によって書き込まれた表示データが放電管のセル内壁に壁電荷の形で記憶され、その後のサステイン・パルスの印加により表示電極Ｘ−Ｙ間の面放電が生じる。
【００３２】
サステステイン期間ＴＳにおいては、最初に先のアドレス放電で生じた壁電荷と加算されて維持放電を発生する極性（図の例では正極性）のサステイン・パルスＰｓを印加する。その後、表示電極Ｘと表示電極Ｙとに対して交互にサステイン・パルスＰｓを印加する。サステイン・パルスＰｓの振幅は維持電圧Ｖｓである。サステイン・パルスＰｓの印加によって、所定の壁電荷が残存する放電セルにおいて面放電が生じる。サステイン・パルスＰｓの印加回数は、上述したようにサブフィールドＳＦの重みに対応する。なお、サステイン期間ＴＳ全体にわたって不要な対向放電を防止するために、アドレス電極Ａをサステイン・パルスＰｓと同極性の電圧Ｖａｓにバイアスする。
【００３３】
図６は、改良された表示装置１１０の電気的接続を示している。表示装置１１０は、図４の通常の表示装置８と同様に、プラズマ・チューブ１１と直交するｎ対の表示電極２ （Ｘ１，Ｙ１）、（Ｘ２，Ｙ２）、．．．（Ｘｉ，Ｙｉ）、．．．（Ｘｎ，Ｙｎ）と、プラズマ・チューブ１１に沿ったｍ本の信号電極３ Ａ１、Ａ２、．．．Ａｉ、．．．Ａｍと、を有する。表示電極対２の表示電極Ｙ１〜Ｙｎの各々は、既知の形態で、前面側支持基板３１に形成された太い導線のバス電極２２と透明電極２３とで形成されている。表示電極対２の表示電極Ｘ１〜Ｘｎの各々は、既知の形態で、前面側支持基板３１に形成された太い導線のバス電極２４と透明電極２５とで形成されている。
【００３４】
表示装置１１０におけるプラズマ・チューブ・アレイ１１の表示面の右辺において、プラズマ・チューブ・アレイ１１と直交する表示電極２ Ｘ１、．．．、Ｘｊ、．．．、Ｘｎが、対応する並列のｎ本の導線またはワイヤを有する幅広の短いフレキシブル・ケーブル４２および細長い板状または棒状導体４４を介して、Ｘドライバ回路６１を実装したプリント回路基板５０に接続されている。
【００３５】
表示電極２ Ｘ１〜Ｘｎのバス電極２４の右端部は、フレキシブル・ケーブル４２中の対応する導線を介して、プラズマ・チューブ１１に実質的に平行に配置されプラズマ・チューブ１１の長さと実質的に同じ長さの棒状導体４４に共通接続されている。棒状導体４４は、例えば幅１０ｍｍおよび厚さ１ｍｍの細長い銅板または外径３ｍｍの銅線であってもよい。棒状導体４４は、さらに別の幅の広い短いフレキシブル・ケーブルまたは導体シート４６を介してプリント回路基板５０の電圧供給端子に接続される。表示装置１０２のその他の構成は、図４の通常の表示装置８の構成と同様である。
【００３６】
表示装置１１０の前面側支持基板３１上のＸ電極に接続されるフレキシブル・ケーブル４２およびフレキシブル・ケーブルまたは導体シート４６は短い長さを有するので、インピーダンスまたはインダクタンスが小さい。また、棒状導体４４は長いフレキシブル・ケーブル（図４のフレキシブル・ケーブル５２または図４のフレキシブル・ケーブル６２）に比べてインピーダンスとインダクタンスが小さい。従って、表示装置１０２の表示電極２ Ｘ１〜Ｘｎへの印加電圧の波形の歪みを減少させることができる。
【００３７】
表示装置１１０において、プラズマ・チューブ・アレイ１１の表示電極２ Ｙ１、．．．、Ｙｊ、．．．、Ｙｎは、複数のグループに分けられ、各グループの表示電極は、三角形または台形状の短い複数のフレキシブル・ケーブル７２を介してそれぞれのスキャン・ドライバ回路７４を実装した複数のプリント回路基板７０に接続されている。各プリント回路基板７０は、短いフレキシブル・ケーブルまたは導体シート６８および６９および細長い板状または棒状導体６３および６６を介して、Ｙサステイン・ドライバ回路を含むＹ主要駆動電源回路６０７およびスキャン用駆動電源回路６０９を実装したプリント回路基板６０に接続されている。
【００３８】
プリント回路基板６０上のＹ主要駆動電源回路６０７から供給される維持電圧は、幅の広い短いフレキシブル・ケーブルまたは導体シート６２、細長い板状または棒状導体６３、および幅の広い短いフレキシブル・ケーブルまたは導体シート６８を介して、プリント回路基板７０に接続されている。
【００３９】
プリント回路基板７０のスキャン用駆動電源回路６０９の電力供給端子は、幅の広い短いフレキシブル・ケーブルまたは導体シート６５、細長い板状または棒状導体６６、および幅の広い短いフレキシブル・ケーブルまたは導体シート６９を介して、プリント回路基板７０に接続されている。プリント回路基板７０のスキャン・ドライバ回路７４は、アドレス期間にフレキシブル・ケーブル７２を介してスキャン・パルスを印加し、サステイン期間にフレキシブル・ケーブル７２を介して表示電極Ｙ１〜Ｙｎに、Ｙ主要駆動電源回路６０７からのサステイン・パルスを印加する。
【００４０】
表示装置１１０の前面側支持基板３１上のＹ電極に接続されるフレキシブル・ケーブル７２、プリント回路基板７０に接続されるフレキシブル・ケーブルまたは導体シート６２、６８、６５および６９は短い長さを有するので、インピーダンスまたはインダクタンスが小さく、従って表示装置１１０の表示電極２ Ｙ１〜Ｙｎへの印加電圧の波形の歪みを減少させることができる。
【００４１】
図７Ａは、図６の表示装置１１０における、スキャン・ドライバ回路７４と、これに２つの細長い板状または棒状導体６３および６６を介してそれぞれ接続されたＹ主要駆動電源回路６０７およびスキャン用駆動電源回路６０９との電気的接続を示している。
【００４２】
Ｙ主要駆動電源回路６０７は、リセット用の正極性のパルスＰｒｙ１の印加に用いられる電源Ｖｒｙ１、リセット用の負極性のパルスＰｒｙ２の印加に用いられる電源Ｖｒｙ２、サステイン・パルスＰｓの印加に用いられる維持電圧電源Ｖｓ、およびスキャン・パルスの印加に用いられる電圧電源−Ｖｙを含んでいる。スキャン用駆動電源回路６０９は、スキャン・パルスの印加に用いられる電圧電源−Ｖｙ＋Ｖｓｃを含んでいる。電源Ｖｒｙ１、Ｖｒｙ２、Ｖｓおよび−Ｖｙは、スイッチング素子およびダイオードを介して伝送路ＳＵに接続され、伝送路ＳＵは細長い板状または棒状導体６３を介してスキャン回路７４の入力端子ＴＵに接続されている。電圧電源−Ｖｙ＋Ｖｓｃ中の電圧電源Ｖｓｃと電圧電源−Ｖｙは、−Ｖｙ＜−Ｖｙ＋Ｖｓｃという関係にある。電圧電源−Ｖｙ＋Ｖｓｃは、一方の正極端子が接地電位に接地され、他方の負極端子がスイッチング素子およびダイオードを介して伝送路ＳＤに接続され、伝送路ＳＤは細長い板状または棒状導体６６を介してスキャン回路７４の入力端子ＴＤに接続されている。電圧電源Ｖｓｃは、一方の負極端子が電圧電源−Ｖｙの負極端子に直列にされ、他方の正極端子がスイッチング素子およびダイオードを介して伝送路ＳＤに接続される。
【００４３】
スキャン回路７４は、スイッチＴｓ１１、Ｔｓ１２、．．．、Ｔｓｎ２およびダイオードＤｓ１１、Ｄｓ１２、．．．、Ｄｓｎ２を介して、電源電圧Ｖｒｙ１、Ｖｒｙ２、Ｖｓ、−Ｖｙおよび−Ｖｙ＋ＶｓｃをＹ電極Ｙ１〜Ｙｎに印加する。
【００４４】
図７Ｂは、スキャン回路７４の詳細な回路図を示している。スイッチＴｓ１１、Ｔｓ１２、．．．、Ｔｓｎ１、Ｔｓｎ２は、典型的にはＦＥＴからなる。
【００４５】
リセット期間ＴＲおよびサステイン期間ＴＳにおいて、全てのスイッチＴｓ１１、Ｔｓ１２、．．．、Ｔｓｎ１、Ｔｓｎ２はオフ状態に維持され、電源電圧Ｖｒｙ１、Ｖｒｙ２およびＶｓの各スイッチのオン／オフによってそれぞれのリセット電圧および維持電圧がＹ電極Ｙ１〜Ｙｎに印加される。
【００４６】
アドレス期間ＴＡにおいて、スキャン・ドライバ回路７４の２つの入力端子ＴＵおよびＴＤに対して、入力端子ＴＤには電位−Ｖｙ＋Ｖｓｃが印加され、入力端子ＴＵには電位−Ｖｙが印加される。−Ｖｙ＜−Ｖｙ＋Ｖｓｃなので、スキャン・ドライバ回路７４のダイオードＤｓ１１、Ｄｓ１２、．．．Ｄｓｎ１、Ｄｓｎ２には電流が流れない。スキャン・ドライバ回路７４中のＹ電極Ｙ１〜Ｙｎの上側のスイッチＴｓ１１、Ｔｓ２１、．．．Ｔｓｎ１が順次ターンオンされて、走査電圧−ＶｙがＹ電極Ｙ１、Ｙ２、．．．Ｙｎに順次印加される。走査電圧−Ｖｙが印加されないそれ以外のＹ電極Ｙ１〜Ｙｎに対しては、Ｙ電極Ｙ１〜Ｙｎの下側のスイッチＴｓ１２、Ｔｓ２２、．．．Ｔｓｎ２がターンオンされて非走査バイアス電圧−Ｖｙ＋Ｖｓｃが印加される。上側と下側のスイッチの対（Ｔｓ１１，Ｔｓ１２）、（Ｔｓ２１，Ｔｓ２２）．．．（Ｔｓｎ１，Ｔｓｎ２）の各対のスイッチＴｓｊ１とＴｓｊ２が同時にターンオンされることはない。スキャン・ドライバ回路７０２は、スイッチングＴｓ１１、Ｔｓ１２、．．．、Ｔｓｎ２のオン／オフを制御する。
【００４７】
図７Ａにおいて、伝送路ＳＵおよびＳＤには、高電圧および高速の電流が流れるので、プリント回路基板６０７および６０９における配線パターンの幅を、例えば１０ｍｍのように幅広にし、かつ短絡および漏電を防止するために相互の間隔を広くする必要がある。また、伝送路ＳＵおよびＳＤに多数の電源Ｖｒｙ１、Ｖｒｙ２、Ｖｓ、−ＶｙおよびＶｓｃ−Ｖｙ等をそれぞれのスイッチを介して接続するために、狭い領域に多数の配線のパターンを形成しなければならない。しかも表示装置１１２における印加電圧の種類が増えるに従って配線の数は増え、回路配置の自由度が低くなる。
【００４８】
発明者たちは、Ｙ主要駆動電源回路６０７およびスキャン用駆動電源回路６０９からスキャン用駆動電源回路６０９中の直流電圧電源−Ｖｙ＋Ｖｓｃを空間的に分離すれば、残りのＹ主要駆動電源回路６０７の配線および関連する配線の混雑度および複雑さが減少し、例えばプリント回路基板の電圧出力数や大小の配線およびヴィア・ホールの数が減少する、と認識した。これらによって、プリント回路基板の小型化が可能となり、または多層基板を用いる必要が無くなり単層基板を用いてコスト削減が可能となる。
【００４９】
図８は、本発明の実施形態による表示装置１１２の電気的接続を示している。
【００５０】
表示装置１１２において、プラズマ・チューブ・アレイ１１の表示電極２ Ｙ１、．．．、Ｙｊ、．．．、Ｙｎは、複数のグループに分けられ、各グループの表示電極は、三角形または台形状の短い複数のフレキシブル・ケーブル７２を介してそれぞれのスキャン・ドライバ回路７４を実装した複数のプリント回路基板７０に接続されている。各プリント回路基板７０は、短いフレキシブル・ケーブルまたは導体シート６８および細長い板状または棒状導体６３を介して、Ｙサステイン・ドライバ回路を含むＹ主要駆動電源回路６１０を実装したプリント回路基板６０２に接続されている。また、各プリント回路基板７０は、短いフレキシブル・ケーブルまたは導体シート６９および細長い板状または棒状導体６６を介して、スキャン用補助駆動電源Ｖｓｃの回路６１５を実装したプリント回路基板に接続されている。スキャン用補助駆動電源の電圧Ｖｓｃは、その正極端子が細長い板状または棒状導体６６に接続され、その負極端子が細長い板状または棒状導体６３に接続されている。
【００５１】
プリント回路基板６０２上のＹ主要駆動電源回路６１０から供給される維持電圧は、幅の広い短いフレキシブル・ケーブルまたは導体シート６２、細長い板状または棒状導体６３、および幅の広い短いフレキシブル・ケーブルまたは導体シート６８を介して、プリント回路基板７０に接続されている。
【００５２】
表示装置１１２において、図６におけるスキャン用駆動電源回路６０９、幅の広い短いフレキシブル・ケーブルまたは導体シート６５は存在しない。スキャン・ドライバ回路７４は、アドレス期間ＴＡにおいてフレキシブル・ケーブル７２を介して表示電極Ｙ１〜Ｙｎに、スキャン用補助駆動電源回路６１５の電圧Ｖｓｃを印加し、サステイン期間ＴＳにおいてフレキシブル・ケーブル７２を介して表示電極Ｙ１〜Ｙｎに、Ｙ主要駆動電源回路６１０からのサステイン・パルスＰｓの維持電圧Ｖｓを印加する。
【００５３】
表示装置１１２の前面側支持基板３１上のＹ電極に接続されるフレキシブル・ケーブル７２、プリント回路基板７０に接続されるフレキシブル・ケーブルまたは導体シート６２、６８および６９は短い長さを有するので、インピーダンスまたはインダクタンスが小さく、従って表示装置１１２の表示電極２ Ｙ１〜Ｙｎへの印加電圧の波形の歪みを減少させることができる。Ｙ主要駆動電源回路６１０からスキャン用補助駆動電源Ｖｓｃが分離されているので、スキャン用補助駆動電源Ｖｓｃに関連するスイッチおよび配線をプリント回路基板３０２に実装する必要がなくなり、従ってプリント回路基板６０２におけるＹ主要駆動電源回路６１０の配線の混雑度および複雑さが減少する。これらによって、プリント回路基板の電圧出力数や大小の配線およびヴィア・ホールの数が減少する、と認識した。これらによって、プリント回路基板の小型化が可能となり、または多層基板を用いる必要が無くなり単層基板を用いてコスト削減が可能となる。
【００５４】
図９は、図８の表示装置１１２における、スキャン・ドライバ回路７４と、これに２つの細長い板状または棒状導体６３および６６を介してそれぞれ接続されたＹ主要駆動電源回路６１０およびスキャン用補助駆動電源回路６１５との電気的接続を示している。
【００５５】
Ｙ主要駆動電源回路６１０は、リセット用の正極性のパルスＰｒｙ１の印加に用いられる電源Ｖｒｙ１、リセット用の負極性のパルスＰｒｙ２の印加に用いられる電源Ｖｒｙ２、サステイン・パルスＰｓの印加に用いられる維持電圧電源Ｖｓ、およびスキャン・パルスの印加に用いられる電圧電源−Ｖｙを含んでいる。スキャン用補助駆動電源回路６１５は、アドレス期間ＴＡにおいてスキャン・パルスの印加に用いられる電圧電源Ｖｓｃを含んでいる。電源Ｖｒｙ１、Ｖｒｙ２、Ｖｓおよび−Ｖｙは、スイッチング素子およびダイオードを介して伝送路ＳＵに接続され、伝送路ＳＵは細長い板状または棒状導体６３を介してスキャン回路７４の入力端子ＴＵに接続されている。電源Ｖｓｃは、その一方の負極端子が細長い板状または棒状導体６３に接続され、それによってその負極端子がＹ主要駆動電源回路６１０の電圧電源−Ｖｙの負極端子に接続され、電源Ｖｓｃの他方の正極端子が細長い板状または棒状導体６６に接続されている。細長い板状または棒状導体６６はスキャン回路７４の入力端子ＴＤに接続されている。
【００５６】
スキャン回路７４は、スイッチＴｓ１１、Ｔｓ１２、．．．、Ｔｓｎ２およびダイオードＤｓ１１、Ｄｓ１２、．．．、Ｄｓｎ２を介して、電源電圧Ｖｒｙ１、Ｖｒｙ２、Ｖｓ、−Ｖｙおよび−Ｖｙ＋ＶｓｃをＹ電極Ｙ１〜Ｙｎに印加する。
【００５７】
リセット期間ＴＲおよびサステイン期間ＴＳにおいて、Ｙ電極Ｙ１〜Ｙｎの上側のスイッチＴｓ１１、Ｔｓ２１、．．．、Ｔｓｎ１はオン状態に維持され、Ｙ電極Ｙ１〜Ｙｎの下側のスイッチＴｓ１２、Ｔｓ２２、．．．、Ｔｓｎ２はオフ状態に維持され、電源電圧Ｖｒｙ１、Ｖｒｙ２およびＶｓの各スイッチのオン／オフ制御によってそれぞれのリセット電圧および維持電圧がスイッチＴｓ１１、Ｔｓ２１、．．．、Ｔｓｎ１を介してＹ電極Ｙ１〜Ｙｎに印加される。
【００５８】
アドレス期間ＴＡにおいて、スキャン・ドライバ回路７４の２つの入力端子ＴＵおよびＴＤに対して、入力端子ＴＤには電位−Ｖｙ＋Ｖｓｃが印加され、入力端子ＴＵには電位−Ｖｙが印加される。−Ｖｙ＜−Ｖｙ＋Ｖｓｃなので、スキャン・ドライバ回路７４のダイオードＤｓ１１、Ｄｓ１２、．．．Ｄｓｎ１、Ｄｓｎ２には電流が流れない。スキャン・ドライバ回路７４中のＹ電極Ｙ１〜Ｙｎの上側のスイッチＴｓ１１、Ｔｓ２１、．．．Ｔｓｎ１が順次ターンオンされて、走査電圧−ＶｙがＹ電極Ｙ１、Ｙ２、．．．Ｙｎに順次印加される。走査電圧−Ｖｙが印加されないそれ以外のＹ電極Ｙ１〜Ｙｎに対しては、Ｙ電極Ｙ１〜Ｙｎの下側のスイッチＴｓ１２、Ｔｓ２２、．．．Ｔｓｎ２がターンオンされて非走査バイアス電圧−Ｖｙ＋Ｖｓｃが印加される。上側と下側のスイッチの対（Ｔｓ１１，Ｔｓ１２）、（Ｔｓ２１，Ｔｓ２２）．．．（Ｔｓｎ１，Ｔｓｎ２）の各対のスイッチＴｓｊ１とＴｓｊと２が同時にターンオンされることはない。
【００５９】
図８および９の実施形態によれば、図７Ａの表示装置１１０のＹ主要駆動電源回路６０７と比較して、Ｙ主要駆動電源回路６１０における高電圧用の素子および配線の密度を大幅に減少させることができる。例えば、Ｙ主要駆動電源回路６１０において、幅広の伝送路ＳＤを形成する必要がなく、伝送路ＳＤに接続される多数の電源のスイッチやその接続回路も必要なく、Ｙ主要駆動電源回路６１０のサイズが小さくて済む。伝送路ＳＵとＳＤの間の接続回路は、スキャン用補助駆動電源回路６１５を細長い板状または棒状導体６３と６６の間に短い接続線で接続するだけでよい。この場合、スキャン用補助駆動電源回路６１５はスイッチング素子が不要である。また、配線が簡単になるので、配線の交差が減り、多層基板やヴィア・ホールを用いる必要が無くなって単層基板を用いてのコスト削減が可能となる。また、ヴィア・ホールを減らすことによって、これによるインダクタンスや抵抗の増加を抑えることができ、電圧波形の歪みを減少させることができる。
【００６０】
図１０は、図８の表示装置１１２の変形である、本発明の別の実施形態による表示装置１１４の電気的接続を示している。
【００６１】
表示装置１１４において、各プリント回路基板７０は、短いフレキシブル・ケーブルまたは導体シート６９および細長い板状または棒状導体６６を介して、スキャン用補助駆動電源−Ｖｙ＋Ｖｓｃの回路６１７を実装したプリント回路基板に接続されている。スキャン用補助駆動電源−Ｖｙ＋Ｖｓｃは（−Ｖｙ＜−Ｖｙ＋Ｖｓｃ）、その負極端子が細長い板状または棒状導体６６に接続され、その正極端子が接地電位点ＧＮＤに接続される。それによって、各プリント回路基板７０に電圧−Ｖｙ＋Ｖｓｃを供給する。表示装置１１４のその他の構成は、図８の表示装置１１２のものと同様である。
【００６２】
図１１は、表示装置１１４における、スキャン・ドライバ回路７４と、これに２つの細長い板状または棒状導体６３および６６を介してそれぞれ接続されたＹ主要駆動電源回路６１０およびスキャン用補助駆動電源回路６１７との電気的接続を示している。
【００６３】
スキャン用補助駆動電源回路６１７は、１つの電圧電源−Ｖｙ＋Ｖｓｃ、または直列に接続された２つの電源Ｖｓｃおよび−Ｖｙを含んでいる。この場合、電圧電源−Ｖｙ＋Ｖｓｃ中の電源−Ｖｙとして、Ｙ主要駆動電源回路６１０の電源−Ｖｙを用いてもよい。図１１のその他の構成は、図９のものと同様である。この場合、スキャン用補助駆動電源回路６１７は、２つの細長い板状または棒状導体６３と６６の間に短い接続線を用いて配置することができる。
【００６４】
図１０および１１の実施形態によれば、図７Ａの表示装置１１０のＹ主要駆動電源回路６０７と比較して、Ｙ主要駆動電源回路６１０における高電圧用の素子および配線の密度を大幅に減少させることができる。例えば、Ｙ主要駆動電源回路６１０において、幅広の伝送路ＳＤを形成する必要がなく、伝送路ＳＤに接続される多数の電源のスイッチも必要なく、Ｙ主要駆動電源回路６１０のサイズが小さく済む。伝送路ＳＵとＳＤの間の接続回路は不要であり、スキャン用補助駆動電源回路６１７を細長い板状または棒状導体６６に接続するだけでよい。この場合、スキャン用補助駆動電源回路６１７はスイッチング回路が不要である。
【００６５】
図１２Ａは、図８の表示装置１１２のさらに別の変形である、本発明の別の実施形態による表示装置１１６の電気的接続を示している。図１２Ｂは、スキャン用補助駆動電源回路６１９の詳細を示している。
【００６６】
図１３は、図１２Ａの表示装置１１６における、スキャン・ドライバ回路７４と、これに２つの細長い板状または棒状導体６３および６６を介してそれぞれ接続されたＹ主要駆動電源回路６１０およびスキャン用補助駆動電源回路６１９との電気的接続を示している。
【００６７】
表示装置１１６において、各プリント回路基板７０は、短いフレキシブル・ケーブルまたは導体シート６９および細長い板状または棒状導体６６を介して、スキャン用補助駆動電源回路６１９を実装したプリント回路基板に接続されている。スキャン用補助駆動電源Ｖｓｃは、その正極端子が細長い板状または棒状導体６６に制御可能な保護用スイッチング素子を介して接続され、その負極端子が細長い板状または棒状導体６３に接続されている。細長い板状または棒状導体６３および６６およびスキャン用補助駆動電源回路６１９は、細長い長方形状の１つのプリント回路基板６１８上に配置されている。スキャン用補助駆動電源回路６１９は、プリント回路基板６１８の長手方向の端部に配置されていて、スキャン・ドライバ回路７４の動作に与える影響が減じられる。
【００６８】
図１２Ｂにおいて、スキャン用補助駆動電源回路６１９の直流電圧電源Ｖｓｃは、その正極端子が、直列接続の保護用スイッチング素子および一方向のダイオードと、この直列接続と並列に接続された直列接続の保護用スイッチング素子および逆方向のダイオードとを介して、細長い板状または棒状導体６６に接続されている。保護用スイッチング素子は、リセット期間ＴＲおよびサステイン期間ＴＳにおいてターンオフされる。表示装置１１６のその他の構成は、図８の表示装置１１２のものと同様である。
【００６９】
図１２Ａ、１２Ｂおよび１３の実施形態によれば、図８および９の実施形態と比較して、リセット期間ＴＲおよびサステイン期間ＴＳにおいてスキャン・ドライバ回路７４が誤動作してスイッチＴｓ１２、Ｔｓ２２、．．．Ｔｓｎ２がターンオンされても、電源ＶｓｃがＹ電極Ｙ１〜Ｙｎに印加されることがない。また、スキャン用補助駆動電源回路６１９は、１つのプリント回路基板６１８上の細長い板状または棒状導体６３と６６の間に配置されているので、細長い板状または棒状導体６６との間の接続線として幅広の短い線が用いることができ、インダクタンスおよびインピーダンスの増大が抑制され、回路間の干渉が生じにくく、従ってＹ電極Ｙ１〜Ｙｎに対して歪みの少ない安定した電圧を印加することができる。
【００７０】
図１４Ａは、図１０の表示装置１１４または図１２の表示装置１１６の変形である、本発明の別の実施形態による表示装置１１８の電気的接続を示している。図１４Ｂは、スキャン用補助駆動電源回路６２０の詳細を示している。
【００７１】
図１５は、図１４Ａの表示装置１１８における、スキャン・ドライバ回路７４と、これに２つの細長い板状または棒状導体６３および６６を介してそれぞれ接続されたＹ主要駆動電源回路６１０およびスキャン用補助駆動電源回路６２０との電気的接続を示している。
【００７２】
図１４Ａおよび１５を参照すると、表示装置１１８において、各プリント回路基板７０は、短いフレキシブル・ケーブルまたは導体シート６９および細長い板状または棒状導体６６を介して、スキャン用補助駆動電源回路６２０を実装したプリント回路基板に接続されている。スキャン用補助駆動電源−Ｖｙ＋Ｖｓｃは（−Ｖｙ＜−Ｖｙ＋Ｖｓｃ）、その負極端子が細長い板状または棒状導体６６に制御可能なスイッチング素子を介して接続され、その正極端子が接地電位点ＧＮＤに接地されている。細長い板状または棒状導体６３および６６およびスキャン用補助駆動電源回路６２０は、細長い長方形状の１つのプリント回路基板６１８上に配置されている。スキャン用補助駆動電源回路６２０は、プリント回路基板６１８の長手方向の端部に配置されていて、スキャン・ドライバ回路７４の動作に与える影響が減じられる。
【００７３】
図１４Ｂにおいて、スキャン用補助駆動電源回路６２０の直流電圧電源−Ｖｙ＋Ｖｓｃは、その負極端子が、直列接続の保護用スイッチング素子および一方向のダイオードと、この直列接続と並列に接続された直列接続の保護用スイッチング素子および逆方向のダイオードとを介して、細長い板状または棒状導体６６に接続されている。保護用スイッチング素子は、リセット期間ＴＲおよびサステイン期間ＴＳにおいてターンオフされる。表示装置１１８のその他の構成は、図１０の表示装置１１４または図１２の表示装置１１６のものと同様である。
【００７４】
図１４Ａ、１４Ｂおよび１５の実施形態によれば、図１０および１１の実施形態と比較して、リセット期間ＴＲおよびサステイン期間ＴＳにおいてスキャン・ドライバ回路７４が誤動作してスイッチＴｓ１２、Ｔｓ２２、．．．Ｔｓｎ２がターンオンされても、電源ＶｓｃがＹ電極に印加されることがない。また、スキャン用補助駆動電源回路６１９は、１つのプリント回路基板６１８上の細長い板状または棒状導体６３と６６の間に配置されているので、細長い板状または棒状導体６６との間の接続線として幅広の短い線が用いることができ、インダクタンスおよびインピーダンスの増大が抑制され、回路間の干渉が生じにくく、従ってＹ電極Ｙ１〜Ｙｎに対して歪みの少ない安定した電圧を印加することができる。
【００７５】
図１６Ａは、図８の表示装置１１２のさらに別の変形である、本発明の別の実施形態による表示装置１２０の電気的接続を示している。図１６Ｂは、スキャン用補助駆動電源回路６１９の詳細を示している。スキャン用補助駆動電源回路６１９は、図１２Ｂのものと同様の構成を有する。
【００７６】
図１７は、図１６Ａの表示装置１２０における、スキャン・ドライバ回路７４と、これに２つの細長い板状または棒状導体６３および６６を介してそれぞれ接続されたＹ主要駆動電源回路６１０およびスキャン用補助駆動電源回路６１９との電気的接続を示している。
【００７７】
図１６Ａおよび１７を参照すると、表示装置１２０において、各プリント回路基板７０は、短いフレキシブル・ケーブルまたは導体シート６９および細長い板状または棒状導体６６を介して、スキャン用補助駆動電源回路６１９を実装したプリント回路基板に接続されている。スキャン用補助駆動電源Ｖｓｃは、その正極端子が細長い板状または棒状導体６６に制御可能な保護用スイッチング素子を介して接続され、その負極端子が細長い板状または棒状導体６３に接続されている。スキャン用補助駆動電源回路６１９は、例えば背面側支持基板３２の背面における、細長い板状または棒状導体６３に近い任意の位置に配置され、スキャン・ドライバ回路７４の動作に与える影響が減じられる。
【００７８】
図１８Ａは、図１０の表示装置１１４の別の変形である、本発明のさらに別の実施形態による表示装置１２２の電気的接続を示している。図１８Ｂは、スキャン用補助駆動電源回路６２０の詳細を示している。スキャン用補助駆動電源回路６２０は、図１４Ｂのものと同様の構成を有する。
【００７９】
図１９は、図１８Ａの表示装置１２２における、スキャン・ドライバ回路７４と、これに２つの細長い板状または棒状導体６３および６６を介してそれぞれ接続されたＹ主要駆動電源回路６１０およびスキャン用補助駆動電源回路６２０との電気的接続を示している。
【００８０】
図１８Ａおよび１９を参照すると、表示装置１２２において、各プリント回路基板７０は、短いフレキシブル・ケーブルまたは導体シート６９および細長い板状または棒状導体６６を介して、スキャン用補助駆動電源回路６２０を実装したプリント回路基板に接続されている。スキャン用補助駆動電源−Ｖｙ＋Ｖｓｃは（−Ｖｙ＜−Ｖｙ＋Ｖｓｃ）、その負極端子が細長い板状または棒状導体６６に制御可能な保護用スイッチング素子を介して接続され、その正極端子が接地電位点ＧＮＤに接続されている。スキャン用補助駆動電源回路６２０は、例えば背面側支持基板３２の背面における、細長い板状または棒状導体６３に近い任意の位置に配置され、スキャン・ドライバ回路７４の動作に与える影響が減じられる。
【００８１】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく、実施形態の種々の変形を行えることは明らかである。
【図面の簡単な説明】
【００８２】
【図１】図１は、通常のカラー表示装置のプラズマ・チューブまたはガス放電管のアレイの概略的な部分的構造を例示している。
【図２】図２Ａは、透明な複数の表示電極対が形成された前面側支持基板を示している。図２Ｂは、複数の信号電極または信号電極が形成された背面側支持基板を示している。
【図３】図３は、表示装置のプラズマ・チューブ・アレイの管の長手方向に垂直な断面の構造を示している。
【図４】図４は、通常の表示装置の電気的接続を示している。
【図５】図５は、通常の表示装置における、Ｘドライバ回路、Ｙドライバ回路およびアドレス・ドライバ回路の出力駆動電圧波形の概略的な駆動シーケンスを例示している。
【図６】図６は、本発明の実施形態による表示装置の電気的接続を示している。
【図７Ａ】図７Ａは、図６の表示装置における、スキャン・ドライバ回路と、これに２つの細長い板状または棒状導体を介してそれぞれ接続されたＹ主要駆動電源回路およびスキャン用駆動電源回路との電気的接続を示している。
【図７Ｂ】図７Ｂは、スキャン回路の詳細な回路図を示している。
【図８】図８は、本発明の実施形態による表示装置の電気的接続を示している。
【図９】図９は、図８の表示装置における、スキャン・ドライバ回路と、これに２つの細長い板状または棒状導体を介してそれぞれ接続されたＹ主要駆動電源回路およびスキャン用補助駆動電源回路との電気的接続を示している。
【図１０】図１０は、図８の表示装置の変形である、本発明の別の実施形態による表示装置の電気的接続を示している。
【図１１】図１１は、表示装置における、スキャン・ドライバ回路と、これに２つの細長い板状または棒状導体を介してそれぞれ接続されたＹ主要駆動電源回路およびスキャン用補助駆動電源回路との電気的接続を示している。
【図１２】図１２Ａは、図８の表示装置のさらに別の変形である、本発明の別の実施形態による表示装置の電気的接続を示している。
【図１３】図１３は、図１２Ａの表示装置における、スキャン・ドライバ回路と、これに２つの細長い板状または棒状導体を介してそれぞれ接続されたＹ主要駆動電源回路およびスキャン用補助駆動電源回路との電気的接続を示している。
【図１４】図１４Ａは、図１０の表示装置または図１２の表示装置の変形である、本発明の別の実施形態による表示装置の電気的接続を示している。図１４Ｂは、スキャン用補助駆動電源回路の詳細を示している。
【図１５】図１５は、図１４Ａの表示装置における、スキャン・ドライバ回路７４と、これに２つの細長い板状または棒状導体を介してそれぞれ接続されたＹ主要駆動電源回路およびスキャン用補助駆動電源回路との電気的接続を示している。
【図１６】図１６Ａは、図８の表示装置のさらに別の変形である、本発明の別の実施形態による表示装置の電気的接続を示している。
【図１７】図１７は、図１６Ａの表示装置における、スキャン・ドライバ回路と、これに２つの細長い板状または棒状導体を介してそれぞれ接続されたＹ主要駆動電源回路およびスキャン用補助駆動電源回路との電気的接続を示している。
【図１８】図１８Ａおよび１８Ｂは、図１０の表示装置の別の変形である、本発明の別の実施形態による表示装置の電気的接続を示している。
【図１９】図１９は、図１８Ａの表示装置における、スキャン・ドライバ回路と、これに２つの細長い板状または棒状導体を介してそれぞれ接続されたＹ主要駆動電源回路およびスキャン用補助駆動電源回路との電気的接続を示している。
【符号の説明】
【００８３】
１１２  表示装置
２  表示電極対
３  信号電極
１１  ガス放電管
Ｘ１〜Ｘｎ  Ｘ電極
Ｙ１〜Ｙｎ  Ｙ電極
３１  前面側支持基板
３２  背面側支持基板
６３  細長い板状または棒状導体
６６  細長い板状または棒状導体
６１５  スキャン用補助駆動電源回路
【図１】
2008039851.tif 000003
【図２】
2008039851.tif 000004
【図３】
2008039851.tif 000005
【図４】
2008039851.tif 000006
【図５】
2008039851.tif 000007
【図６】
2008039851.tif 000008
【図７Ａ】
2008039851.tif 000009
【図７Ｂ】
2008039851.tif 000010
【図８】
2008039851.tif 000011
【図９】
2008039851.tif 000012
【図１０】
2008039851.tif 000013
【図１１】
2008039851.tif 000014
【図１２】
2008039851.tif 000015
【図１３】
2008039851.tif 000016
【図１４】
2008039851.tif 000017
【図１５】
2008039851.tif 000018
【図１６】
2008039851.tif 000019
【図１７】
2008039851.tif 000020
【図１８】
2008039851.tif 000021
【図１９】
2008039851.tif 000022